(57)【特許請求の範囲】
【請求項１】
画像表示装置にデジタル方式の放送を受信するチューナモジュールを外付けし、デジタル放送を複数セグメント放送で受信しているときにスクリーンセーバが起動すると、これを検知して１セグメント放送の受信に切り換えることを特徴とする放送受信方法。
【請求項２】
前記スクリーンセーバが起動してから、第１所定時間が経過したことを検知して、１セグメント放送の受信に切り換えることを特徴とする請求項１に記載の放送受信方法。
【請求項３】
前記スクリーンセーバが起動してから、第１所定時間よりも長い第２所定時間が経過したことを検知して、前記チューナモジュールに対する電源供給を遮断することを特徴とする請求項２に記載の放送受信方法。
【請求項４】
前記スクリーンセーバが起動するまでの設定時間に応じて、第１所定時間、及び、第２所定時間の少なくとも一方を設定することを特徴とする請求項２または請求項３に記載の放送受信方法。
【請求項５】
デジタル方式の放送を受信するチューナモジュールと、前記チューナモジュールを接続可能で、かつ、そのチューナモジュールからのデジタル方式の放送信号を入力してデジタル方式の放送を視聴可能な画像表示装置と、を備えて成り、デジタル放送を複数セグメント放送で受信しているときにスクリーンセーバが起動すると、これを検知して１セグメント放送の受信に切り換えることを特徴とする放送受信システム。
【請求項６】
前記スクリーンセーバが起動してから、第１所定時間が経過したことを検知して、１セグメント放送の受信に切り換えることを特徴とする請求項５に記載の放送受信システム。
【請求項７】
前記スクリーンセーバが起動してから、第１所定時間よりも長い第２所定時間が経過したことを検知して、前記チューナモジュールに対する電源供給を遮断することを特徴とする請求項６に記載の放送受信システム。
【請求項８】
前記スクリーンセーバが起動するまでの設定時間に応じて、第１所定時間、及び、第２所定時間の少なくとも一方を設定することを特徴とする請求項６または請求項７に記載の放送受信システム。
【請求項９】
デジタル方式の放送を受信するチューナモジュールを内蔵し、デジタル放送を複数セグメント放送で受信しているときにスクリーンセーバが起動すると、これを検知して１セグメント放送の受信に切り換えることを特徴とするパーソナルコンピュータ。
【請求項１０】
前記スクリーンセーバが起動してから、第１所定時間が経過したことを検知して、１セグメント放送の受信に切り換えることを特徴とする請求項９に記載のパーソナルコンピュータ。
【請求項１１】
前記スクリーンセーバが起動してから、第１所定時間よりも長い第２所定時間が経過したことを検知して、前記チューナモジュールに対する電源供給を遮断することを特徴とする請求項１０に記載のパーソナルコンピュータ。
【請求項１２】
前記スクリーンセーバが起動するまでの設定時間に応じて、第１所定時間、及び、第２所定時間の少なくとも一方を設定することを特徴とする請求項１０または請求項１１に記載のパーソナルコンピュータ。
【請求項１３】
モニタを備えたパーソナルコンピュータと通信可能に接続され、デジタル方式のテレビジョン放送を受信して前記モニタに出力する放送受信装置であって、
１セグメント放送及び複数セグメント放送の一方を選択して受信する受信手段と、
前記モニタのスクリーンセーバが起動されているか否かを判定する第１判定手段と、
前記第１判定手段によってスクリーンセーバが起動されていると判定された場合に、前記受信手段に対して１セグメント放送を受信させる受信形態変更手段と、
を備えることを特徴とする放送受信装置。
【発明の詳細な説明】
【技術分野】
【０００１】
本発明は、デジタル放送の受信が可能な放送受信方法、放送受信システム、パーソナルコンピュータ、及び、放送受信装置（チューナモジュール）に関する。
【背景技術】
【０００２】
近年、パーソナルコンピュータに高度なＡＶ［Audio Visual］機能が搭載されているため、ＴＶ放送受信用のチューナモジュールを接続することによって、ディスプレイ上に放送番組コンテンツを表示させて視聴することが可能となり、また、放送番組コンテンツをＨＤＤ（ハードディスクドライブ）等の記録媒体に録画することが可能になっている。
【０００３】
また、ＴＶ放送は、アナログ放送からデジタル放送に移行しつつあり、パーソナルコンピュータに接続して使用されるチューナモジュールについても、デジタル放送受信用の機種が実用化され始めている。
【０００４】
日本の地上デジタル放送では、１つのチャンネルが１３の「セグメント」に分割されており、これをいくつか束ねて映像やデータ、音声などを送信している。例えば、ハイビジョン放送は１２セグメント必要だが、標準画質の放送は４セグメントで済むため、３つの異なる番組を１つのチャンネルで同時に放送することもできる。
【０００５】
なお、地上デジタル放送のハイビジョン放送では、映像の符号化規格として、ＭＰＥＧ［Moving Picture Expert Group］−２が採用されており、また、音声の符号化規格としては、ＡＡＣ［Advanced Audio Coding］が採用されている。また、ハイビジョン放送には、データ放送も多重化されている。
【０００６】
上記のセグメントのうち、１つを使用して放送を行うのが１セグメント放送（いわゆる１セグ放送）である。１セグメント放送では、帯域が通常放送の１／４と狭いため、ＱＶＧＡ［Quarter Video Graphics Array］（３２０×２４０ピクセル）サイズの低解像度の映像しか伝達できないが、１２セグメントを使用するハイビジョン放送に比べ、携帯電話などの移動体で受信しやすいという特徴がある。
【０００７】
１セグメント放送では、通常の地上波放送と同じ番組を同時に流すサイマル放送が主に行われている。また、１セグメント放送では、映像の符号化規格として、Ｈ．２６４（ＭＰＥＧ−４  ＡＶＣ［Advanced Video Coding］）が採用されており、音声の符号化規格としては、先述のＡＡＣが採用されている。また、１セグメント放送にも、データ放送が多重化されている。
【０００８】
なお、パーソナルコンピュータ用の外付けチューナモジュールは、１セグメント放送用のチューナモジュールが主流であるが、将来的には、４セグメント放送用や１２セグメント放送用の外付けチューナモジュールについても実用化が進むと考えられる。
【０００９】
上記に関連する従来技術としては、例えば、受信したデジタル放送信号を選局、復調、符号誤り訂正して放送番組コンテンツを生成し、暗号化してパーソナルコンピュータに伝送すると共に、デジタル放送信号に多重化されている認証パラメータを用いてパーソナルコンピュータと相互認証を行うチューナモジュールを備えたデジタル放送受信装置が開示されている（特許文献１参照）。
【特許文献１】特開２００６−７４６８６号公報
【発明の開示】
【発明が解決しようとする課題】
【００１０】
しかしながら、上記デジタル放送受信装置においては、パーソナルコンピュータ側で、テレビジョン放送が視聴されていない場合（例えば、パーソナルコンピュータ側でスクリーンセーバが起動されている場合、又は、ディスプレイの電源が遮断されている場合等）であっても、チューナモジュールでは標準画質の放送又は高品位画質の放送が受信されているため、チューナモジュールにおいて電力が浪費されている場合があった。
【００１１】
本発明は、上記課題に鑑みてなされたものであって、利便性良好に消費電力を削減することが可能な放送受信方法、放送受信システム、パーソナルコンピュータ、並びに、放送受信装置を提供することを目的としている。
【課題を解決するための手段】
【００１２】
上記目的を達成するために、本発明に係る放送受信方法は、画像表示装置にデジタル方式の放送を受信するチューナモジュールを外付けし、デジタル放送を複数セグメント放送で受信しているときにスクリーンセーバが起動すると、これを検知して１セグメント放送の受信に切り換える構成（第１の構成）とされている。
【００１３】
なお、上記第１の構成から成る放送受信方法は、前記スクリーンセーバが起動してから第１所定時間が経過したことを検知して、１セグメント放送の受信に切り換える構成（第２の構成）にするとよい。
【００１４】
また、上記第２の構成から成る放送受信方法は、前記スクリーンセーバが起動してから第１所定時間よりも長い第２所定時間が経過したことを検知して、前記チューナモジュールに対する電源供給を遮断する構成（第３の構成）にするとよい。
【００１５】
また、上記第２または第３の構成から成る放送受信方法は、前記スクリーンセーバが起動するまでの設定時間に応じて、第１所定時間、及び、第２所定時間の少なくとも一方を設定する構成（第４の構成）にするとよい。
【００１６】
また、本発明に係る放送受信システムは、デジタル方式の放送を受信するチューナモジュールと、前記チューナモジュールを接続可能で、かつ、そのチューナモジュールからのデジタル方式の放送信号を入力してデジタル方式の放送を視聴可能な画像表示装置と、を備えて成り、デジタル放送を複数セグメント放送で受信しているときにスクリーンセーバが起動すると、これを検知して１セグメント放送の受信に切り換える構成（第５の構成）とされている。
【００１７】
なお、上記第５の構成から成る放送受信システムは、前記スクリーンセーバが起動してから、第１所定時間が経過したことを検知して、１セグメント放送の受信に切り換える構成（第６の構成）にするとよい。
【００１８】
また、上記第６の構成から成る放送受信システムは、前記スクリーンセーバが起動してから、第１所定時間よりも長い第２所定時間が経過したことを検知して、前記チューナモジュールに対する電源供給を遮断する構成（第７の構成）にするとよい。
【００１９】
また、上記第６または第７の構成から成る放送受信システムは、前記スクリーンセーバが起動するまでの設定時間に応じて、第１所定時間、及び、第２所定時間の少なくとも一方を設定する構成（第８の構成）にするとよい。
【００２０】
また、本発明に係るパーソナルコンピュータは、デジタル方式の放送を受信するチューナモジュールを内蔵し、デジタル放送を複数セグメント放送で受信しているときにスクリーンセーバが起動すると、これを検知して１セグメント放送の受信に切り換える構成（第９の構成）とされている。
【００２１】
なお、上記第９の構成から成るパーソナルコンピュータは、前記スクリーンセーバが起動してから、第１所定時間が経過したことを検知して、１セグメント放送の受信に切り換える構成（第１０の構成）にするとよい。
【００２２】
また、上記第１０の構成から成るパーソナルコンピュータは、前記スクリーンセーバが起動してから、第１所定時間よりも長い第２所定時間が経過したことを検知して、前記チューナモジュールに対する電源供給を遮断する構成（第１１の構成）にするとよい。
【００２３】
また、上記第１０または第１１の構成から成るパーソナルコンピュータは、前記スクリーンセーバが起動するまでの設定時間に応じて、第１所定時間、及び、第２所定時間の少なくとも一方を設定する構成（第１２の構成）にするとよい。
【００２４】
また、本発明に係る放送受信装置は、モニタを備えたパーソナルコンピュータと通信可能に接続され、デジタル方式のテレビジョン放送を受信して前記モニタに出力する放送受信装置であって、１セグメント放送及び複数セグメント放送の一方を選択して受信する受信手段と、前記モニタのスクリーンセーバが起動されているか否かを判定する第１判定手段と、前記第１判定手段によってスクリーンセーバが起動されていると判定された場合に前記受信手段に対して１セグメント放送を受信させる受信形態変更手段と、を有して成る構成（第１３の構成）とされている。
【００２５】
なお、上記第１３の構成から成る放送受信装置において、前記複数セグメント放送は、４セグメント放送である標準画質の放送又は１２セグメント放送である高品位画質の放送である構成（第１４の構成）にするとよい。
【００２６】
また、上記第１３または第１４の構成から成る放送受信装置において、前記受信形態変更手段は、前記第１判定手段によってスクリーンセーバが起動されていないと判定された場合に、前記受信手段に対して複数セグメント放送を受信させる構成（第１５の構成）にするとよい。
【００２７】
また、上記第１３〜第１５いずれかの構成から成る放送受信装置において、前記受信形態変更手段は、前記第１判定手段によってスクリーンセーバが起動されていると判定された時点から、予め設定された第１所定時間経過後に、前記受信手段に対して１セグメント放送を受信させる構成（第１６の構成）にするとよい。
【００２８】
また、上記第１６の構成から成る放送受信装置は、前記パーソナルコンピュータを介して外部からの操作入力を受け付けて、前記第１所定時間を設定する第１時間設定手段を備える構成（第１７の構成）にするとよい。
【００２９】
また、上記第１３〜第１７いずれかの構成から成る放送受信装置は、前記モニタの電源が遮断されているか否かを判定する第２判定手段と、前記第２判定手段によってモニタの電源が遮断されていると判定された場合に、前記受信手段への電源の供給を遮断する電源遮断手段と、を備える構成（第１８の構成）とされている。
【００３０】
また、上記第１８の構成から成る放送受信装置において、前記電源遮断手段は、前記第２判定手段によってモニタの電源が遮断されていないと判定された場合に、前記受信手段への電源を投入する構成（第１９の構成）とされている。
【００３１】
また、上記第１８または第１９の構成から成る放送受信装置において、前記電源遮断手段は、前記第２判定手段によってモニタの電源が遮断されていると判定された時点から、予め設定された第２所定時間経過後に、前記受信手段への電源の供給を遮断する構成（第２０の構成）にするとよい。
【００３２】
また、上記第２０の構成から成る放送受信装置は、前記パーソナルコンピュータを介して外部からの操作入力を受け付けて、前記第２所定時間を設定する第２時間設定手段を備える構成（第２１の構成）にするとよい。
【発明の効果】
【００３３】
本発明に係る放送受信方法、放送受信システム、パーソナルコンピュータによれば、デジタル放送を複数セグメント放送で受信しているときにスクリーンセーバが起動すると、これを検知して１セグメント放送の受信に切り換えることができるので、利便性良好に消費電力を削減することが可能となる。
【００３４】
また、上記第１３の構成から成る放送受信装置によれば、受信手段によって、１セグメント放送及び複数セグメント放送の一方が選択して受信され、モニタのスクリーンセーバが起動されているか否かが判定され、スクリーンセーバが起動されていると判定された場合に、受信手段を介して１セグメント放送が受信されるため、利便性良好に消費電力を削減することができる。
【００３５】
すなわち、モニタのスクリーンセーバが起動されていると判定された場合に、受信手段を介して１セグメント放送が受信されるため、モニタのスクリーンセーバが起動されている場合には、ユーザがテレビジョン放送を視聴していないので、利便性良好に消費電力を削減することができるのである。
【００３６】
また、上記第１４の構成から成る放送受信装置によれば、複数セグメント放送は、４セグメント放送である標準画質の放送又は１２セグメント放送である高品位画質の放送であるため、利便性良好に消費電力を削減することができる。
【００３７】
すなわち、ユーザがテレビジョン放送を視聴している際に、標準画質の放送又は高品位画質の放送を視聴している場合には、モニタのスクリーンセーバが起動されていると判定された場合に、受信手段を介して受信される放送が、標準画質の放送又は高品位画質の放送から１セグメント放送に変更されるため、利便性良好に消費電力を削減することができるのである。
【００３８】
また、上記第１５の構成から成る放送受信装置によれば、スクリーンセーバが起動されていないと判定された場合に、受信手段を介して複数セグメント放送が受信されるため、更に利便性良好に消費電力を削減することができる。
【００３９】
すなわち、ユーザがテレビジョン放送を視聴する等の目的でスクリーンセーバを停止させた場合に、受信手段を介して複数セグメント放送が受信されるため、ユーザが受信手段を介して受信される放送を１セグメント放送から複数セグメント放送に切り換える必要がないので、更に利便性良好に消費電力を削減することができるのである。
【００４０】
また、上記第１６の構成から成る放送受信装置によれば、スクリーンセーバが起動されていると判定された時点から予め設定された第１所定時間経過後に、受信手段を介して１セグメント放送が受信されるため、更に利便性良好に消費電力を削減することができる。
【００４１】
すなわち、クリーンセーバが起動されていると判定された時点から、予め設定された第１所定時間経過（例えば、１０秒）後に、受信手段を介して１セグメント放送が受信されるため、ユーザがテレビジョン放送を視聴している状態でスクリーンセーバが起動された場合であっても、第１所定時間が経過するまでは、受信手段を介して受信される放送が１セグメント放送に切り換えられることがないので、更に利便性良好に消費電力を削減することができるのである。
【００４２】
つまり、パーソナルコンピュータ側では、予め設定された所定期間以上外部からの操作入力が無い場合には、スクリーンセーバが起動されるが、ユーザがテレビジョン放送を視聴している状態でスクリーンセーバが起動された場合であっても、第１所定時間（例えば１０秒）が経過するまでは、受信手段を介して受信される放送が１セグメント放送に切り換えられることがないため、第１所定時間（例えば、１０秒）が経過するまでにスクリーンセーバを停止させることによって、受信手段を介して受信される放送を切り換えることなくテレビジョン放送の視聴を継続することができるので、更に利便性良好に消費電力を削減することができるのである。
【００４３】
また、上記第１７の構成から成る放送受信装置によれば、パーソナルコンピュータを介して外部からの操作入力が受け付けられて、第１所定時間が設定されるため、第１所定時間をユーザが所望する時間に設定することができるので、更に利便性良好に消費電力を削減することができる。
【００４４】
また、上記第１８の構成から成る放送受信装置によれば、モニタの電源が遮断されているか否かが判定され、モニタの電源が遮断されていると判定された場合に、受信手段への電源の供給が遮断されるため、利便性良好に消費電力を更に削減することができる。
【００４５】
すなわち、パーソナルコンピュータ側では、予め設定された所定期間（例えば３０分）以上外部からの操作入力が無い場合には、モニタの電源が遮断されるが、モニタの電源が遮断される状態では、ユーザがテレビジョン放送を視聴していないので、利便性良好に消費電力を更に削減することができるのである。
【００４６】
また、上記第１９の構成から成る放送受信装置によれば、モニタの電源が遮断されていないと判定された場合に、受信手段への電源が投入されるため、更に利便性良好に消費電力を削減することができる。
【００４７】
すなわち、ユーザがテレビジョン放送を視聴する等の目的でモニタの電源を投入した場合に、受信手段への電源が投入されるため、ユーザが受信手段の電源を投入する必要がないので、更に利便性良好に消費電力を削減することができるのである。
【００４８】
また、上記第２０の構成から成る放送受信装置によれば、モニタの電源が遮断されていると判定された時点から、予め設定された第２所定時間経過後に、受信手段への電源の供給が遮断されるため、更に利便性良好に消費電力を削減することができる。
【００４９】
すなわち、モニタの電源が遮断されていると判定された時点から、予め設定された第２所定時間経過（例えば、１０秒）後に、受信手段への電源の供給が遮断されるため、ユーザがテレビジョン放送を視聴している状態でモニタの電源が遮断された場合であっても、第２所定時間が経過するまでは、受信手段への電源の供給が遮断されることがないので、更に利便性良好に消費電力を削減することができるのである。
【００５０】
つまり、パーソナルコンピュータ側では、予め設定された所定期間以上外部からの操作入力が無い場合には、モニタの電源が遮断されるが、ユーザがテレビジョン放送を視聴している状態でモニタの電源が遮断された場合であっても、第２所定時間（例えば、１０秒）が経過するまでは、受信手段への電源の供給が遮断されることがないため、第２所定時間（例えば、１０秒）が経過するまでにモニタの電源を投入することによって、受信手段の電源を投入することなくテレビジョン放送の視聴を継続することができるので、更に利便性良好に消費電力を削減することができるのである。
【００５１】
また、上記第２１の構成から成る放送受信装置によれば、パーソナルコンピュータを介して外部からの操作入力が受け付けられて、第２所定時間が設定されるため、第２所定時間をユーザが所望する時間に設定することができるので、更に利便性良好に消費電力を削減することができる。
【発明を実施するための最良の形態】
【００５２】
以下に本発明の実施形態を、図面を参照しながら説明する。図１は、本発明に係るデジタル放送受信機の構成の一例を示す構成図である。デジタル放送受信機１（放送受信装置に相当する）は、外付けチューナモジュールであり、パーソナルコンピュータ２と通信可能に接続されている。
【００５３】
デジタル放送受信機１は、パーソナルコンピュータ２を介してユーザからの操作入力を受け付けて、受け付けた操作入力に基づいて、デジタル方式のテレビジョン放送を受信して、受信された映像情報及び音声情報等をパーソナルコンピュータ２に対して出力するものである。
【００５４】
また、デジタル放送受信機１は、受信部１１、ＣＰＵ１２、ＵＳＢインターフェイス部１３、カードインターフェイス部１４、及び、バス１５を備えている。
【００５５】
受信部１１（受信手段に相当する）は、デジタル方式のテレビジョン放送を受信して復調し、復調した情報にデスクランブル処理や暗号化処理を施すことで生成したトランスポートストリーム（以下、ＴＳ［Transport Stream］と呼ぶ）をＵＳＢインターフェイス部１３を介してパーソナルコンピュータ２に出力するものであって、アンテナ部１１１、チューナ部１１２、復調部１１３、デスクランブル処理部１１４、及び、暗号化部１１５を備えている。また、受信部１１は、パーソナルコンピュータ２のＣＰＵ２３（図２を用いて後述する受信形態変更部２３３）から、ＣＰＵ１２を介して伝達される指示に従って、１セグメント放送（以下、「１セグ放送」という）、及び、複数セグメント放送の一方を選択して受信するものである。更に、受信部１１は、パーソナルコンピュータ２のＣＰＵ２３（図２を用いて後述する電源遮断部２３６）から、ＣＰＵ１２を介して伝達される指示に従って、電源のＯＮ／ＯＦＦ動作を行うものである。
【００５６】
なお、上記した複数セグメント放送の一例としては、４セグメントの標準画質放送（ＳＤ［Standard Definition Television］放送）、若しくは、１２セグメントの高品位画質放送（ＨＤ［High Definition Television］放送、いわゆるハイビジョン放送）を挙げることができる。
【００５７】
アンテナ部１１１は、テレビジョン放送波（例えば地上デジタル放送波）を受信するものである。チューナ部１１２は、アンテナ部１１１で受信されたテレビジョン放送波からパーソナルコンピュータ２を介して予め設定された目的のチャンネルの放送を選局するものである。ここで選局された信号には、１セグ放送と複数セグメント放送が多重されており、どちらかを選択することが可能である。復調部１１３は、チューナ部１１２により選局された信号を復調し、誤り符号訂正処理等を施すものである。
【００５８】
デスクランブル処理部１１４は、復調部１１３から出力される出力情報が、スクランブル処理を施された情報である場合（例えば、受信される放送が有料のスクランブル放送である場合）に、カードインターフェイス部１４に装着されたＩＣカード３に格納された情報に基づいて、復調部１１３から出力される出力情報にデスクランブル処理を施すものである。暗号化部１１５は、デスクランブル処理部１１４から出力される出力情報に、予め設定された所定の暗号化処理（例えば、ＤＥＳ［Data Encryption Standard］や、ＡＥＳ［Advanced Encryption Standard］に基づく暗号化処理）を施し、ＵＳＢインターフェイス部１３を介してパーソナルコンピュータ２に出力するものである。
【００５９】
ＣＰＵ［Central Processing Unit］１２は、パーソナルコンピュータ２から与えられる指令に基づいて、デジタル放送受信機１全体の動作を制御するものである。また、ＣＰＵ１２は、デジタル放送受信機１とパーソナルコンピュータ２との相互認証処理も行う。ＵＳＢ［Universal Serial Bus］インターフェイス部１３は、ＵＳＢ方式によって、パーソナルコンピュータ２と通信を行うものである。カードインターフェイス部１４は、ＩＣカード３が着脱自在に構成され、装着されたＩＣカード３から、デスクランブル処理部１１４において用いられる情報（鍵情報等）を読み出すものである。バス１５は、デジタル放送受信機１に配設された各機器間において情報を伝送するものである。
【００６０】
次に、デジタル放送受信機１が放送を受信する場合の動作について説明する。まず、送信されてきたデジタル放送波がアンテナ部１１１で受信される。パーソナルコンピュータ２を介して選局操作が受け付けられた場合には、チューナ部１１２によって受信するトランスポンダ［Transponder］の切り換えが行われる。受信されたデジタル放送波は、復調部１１３によって復調される。復調部１１３によって復調された情報は、デスクランブル処理部１１４によってデスクランブル処理が施され、暗号化部１１５によって、暗号化処理が施されて、ＵＳＢインターフェイス部１３を介してパーソナルコンピュータ２に出力される。
【００６１】
一方、パーソナルコンピュータ２は、デジタル放送受信機１から入力された音声情報及び映像情報にそれぞれ対応する音声及び映像を出力するものであって、インターフェイスコントローラ２０、ディスプレイ２１、スピーカ２２、ＣＰＵ２３、メモリ２４、ＨＤＤ２５、キーボード２６、Ｉ／Ｏコントローラ２７、ＰＣＩブリッジ２８、及び、バス２９を備えている。
【００６２】
インターフェイスコントローラ２０は、デジタル放送受信機１とパーソナルコンピュータ２との間における信号の授受を制御する手段である。
【００６３】
ディスプレイ２１（モニタに相当する）は、ＬＣＤ［Liquid Crystal Display］、ＰＤＰ［Plasma Display Panel］等を備え、デジタル放送受信機１から入力された映像情報に対応する映像を外部から視認可能に表示するものである。表示コントローラ２１１は、デジタル放送受信機１から入力された映像情報に対応する映像をディスプレイ２１に表示するものである。ＶＲＡＭ２１２は、表示コントローラ２１１で処理される表示データを一時的に記憶する手段である。スピーカ２２は、デジタル放送受信機１から入力された音声情報に対応する音声を出力するものである。音声コントローラ２２１は、デジタル放送受信機１から入力された音声情報に対応する音声をスピーカ２２に出力するものである。
【００６４】
ＣＰＵ２３は、パーソナルコンピュータ２全体の動作を制御するものであり、さらにはデジタル放送受信機１を含めたデジタル放送受信システム全体の動作を制御するものである。なお、ＣＰＵ２３からデジタル放送受信機１の各部（例えば受信部１１）に対する指示は、デジタル放送受信機１のＣＰＵ１２を介して、間接的に伝達されるものであるが、本発明の構成はこれに限定されるものではなく、ＣＰＵ２３からデジタル放送受信機１の各部に対して、直接的に指示を伝達する構成としても構わない。
【００６５】
メモリ１４は、ＲＡＭ、ＲＯＭ［Read Only Memory］等からなり、種々の情報を格納するものである。ＨＤＤ［Hard Disk Drive］２５は、デジタル放送受信機１によって受信された映像情報等を格納するものである。
【００６６】
キーボード２６（第１時間設定手段の一部、第２時間設定手段の一部に相当する）は、テンキー、アルファベットキー等の種々のキーを備え、ユーザからの操作入力を受け付けて、受け付けられた操作入力に対応する信号をＩ／Ｏコントローラ２７を介してＣＰＵ２３に出力するものである。Ｉ／Ｏ［Input/Output］コントローラ２７は、ＨＤＤ２５及びキーボード２６とバス２９との間に介設され、ＣＰＵ２３からの指示に従って、ＨＤＤ２５及びキーボード２６の入出力を制御するものである。ＰＣＩ［Peripheral Component  Interconnect］ブリッジ２８は、ＣＰＵ２３、表示コントローラ２１１、及び、音声コントローラ２２１をバス２９と接続し、相互に通信できるようにするための回路である。バス２９は、パーソナルコンピュータ２に配設された各機器間において情報を伝送するものである。
【００６７】
放送番組コンテンツの視聴に際して、上記構成から成るパーソナルコンピュータ２は、インターフェイスコントローラ２０を介して、デジタル放送受信機１から暗号化されたＴＳを受け取り、ＣＰＵ２３を用いて、ＨＤＤ２５にインストールされた所定の制御プログラム（デジタル放送受信用のソフトウェア）を実行する。これにより、暗号の復号処理がソフトウェア処理として実施され、その後、デコード処理がソフトウェア処理として実施される。このとき、ＨＤ放送（１２セグメント放送）であれば、ＭＰＥＧ−２デコードが行われ、１セグ放送であれば、Ｈ．２６４デコードが行われる。
【００６８】
なお、上記の説明では、暗号の復号化処理、並びに、デコード処理をソフトウェア処理として実施する構成を例に挙げて説明を行ったが、本発明の構成はこれに限定されるものではなく、専用のハードウェアを追加すれば、ハードウェア処理として上記処理を実施することも可能である。
【００６９】
その後、デコードされたデータには、フィルタリング処理（各種データの選別処理）が施され、映像データは、表示コントローラ２１１に入力された後、ディスプレイ２１に表示される。また、音声データは、音声コントローラ２２１に入力された後、デジタル／アナログ変換処理や増幅処理等を経て、スピーカ２２を鳴動させる。また、放送番組ガイド（ＥＰＧ［Electronic Program Guide］）用のデータは、ＣＰＵ２３で解析された後、不図示のＧＵＩ［Graphical User Interface］処理手段で映像データに多重化され、映像に合成して、ディスプレイ２１に表示される。
【００７０】
一方、放送番組コンテンツの録画時には、上記の動作に加えて、インターフェイスコントローラ２０に入力される暗号化されたＴＳがＩ／Ｏコントローラ２７を経由してＨＤＤ２５に記録される。
【００７１】
また、放送番組コンテンツの再生時には、ＨＤＤ２５に記録されたＴＳがＩ／Ｏコントローラ２７、インターフェイスコントローラ２０、及び、ＵＳＢインターフェイス部１３を介して、デスクランブル処理部１１４に送られ、スクランブルの解除処理が行われる。そして、暗号化処理部１１５では、デスクランブル処理部１１４から出力される出力情報に対する所定の暗号化処理が施された後、ＵＳＢインターフェイス部１３を介してパーソナルコンピュータ２に再出力される。以降、パーソナルコンピュータ２では、上述した放送番組コンテンツの視聴時と同様の処理が行われる。
【００７２】
なお、本発明は、上記のような放送番組コンテンツの視聴動作、録画動作、及び、再生動作に加えて、デジタル放送を受信しているときにスクリーンセーバが起動した場合、無駄な負荷や電力消費を抑えるように、自動的にその放送受信形態を切り換えたり、若しくは、電源の自動遮断を行う点に特徴を有している。以下では、上記の特徴的動作を実現するための構成について、詳細な説明を行う。
【００７３】
図２は、本発明に係るデジタル放送受信システムにおける主要部の機能構成の一例を示すブロック図である。パーソナルコンピュータ２のＣＰＵ２３は、機能的に、第１時間設定部２３１、第１判定部２３２、受信形態変更部２３３、第２時間設定部２３４、第２判定部２３５、及び、電源遮断部２３６を備えている。
【００７４】
ここでは、ＣＰＵ２３が、ＨＤＤ２５にインストールされた制御プログラムを読み出して実行することにより、第１時間設定部２３１、第１判定部２３２、受信形態変更部２３３、第２時間設定部２３４、第２判定部２３５、電源遮断部２３６等の機能部として機能するものである。
【００７５】
また、メモリ２４に格納された各種データのうち、装着脱可能な記録媒体に格納され得るデータは、例えばハードディスクドライブ、光ディスクドライブ、フレキシブルディスクドライブ、シリコンディスクドライブ、カセット媒体読み取り機等のドライブで読み取り可能にしてもよく、この場合、記録媒体は、例えばハードディスク、光ディスク、フレキシブルディスク、ＣＤ［Compact Disc］、ＤＶＤ［Digital Versatile Disc］、半導体メモリ等である。
【００７６】
第１時間設定部２３１（第１時間設定手段の一部に相当する）は、パーソナルコンピュータ２のキーボード２６を介して、ユーザからの操作入力を受け付け、第１所定時間Ｔ１を設定するものである。第１時間設定部２３１によって設定された第１所定時間Ｔ１は、メモリ２４等に格納され、受信形態変更部２３３によって読み出される。
【００７７】
第１判定部２３２（第１判定手段に相当する）は、予め設定された所定周期（以下では「確認周期」という：例えば、１０秒周期）で、パーソナルコンピュータ２のディスプレイ２１のスクリーンセーバが起動されているか否かを、表示コントローラ２１１に対する制御信号を監視することで判定するものである。具体的には、第１判定部２３２は、例えば、パーソナルコンピュータ２のＣＰＵ２３から表示コントローラ２１１に与えられる制御信号のうち、ディスプレイ２１のスクリーンセーバを起動する旨の信号及びスクリーンセーバを停止する旨の信号を監視することで、ディスプレイ２１のスクリーンセーバが起動されているか否かを判定するものである。
【００７８】
受信形態変更部２３３（受信形態変更手段に相当する）は、第１判定部２３２によってスクリーンセーバが起動されていると判定された場合に、第１判定部２３２によってスクリーンセーバが起動されていると判定された時点から、第１時間設定部２３１によって設定された第１所定時間Ｔ１（例えば、１０秒）経過後に、デジタル放送受信機１の受信部１１（図２では図示せず）に対して１セグ放送を受信させるものである。
【００７９】
また、受信形態変更部２３３は、第１判定部２３２によってスクリーンセーバが起動されていないと判定された場合に、受信部１１に対して４セグメント放送である標準画質の放送（＝ＳＤ放送）又は１２セグメント放送である高品位画質の放送（＝ＨＤ放送）を受信させるものである。
【００８０】
第２時間設定部２３４（第２時間設定手段の一部に相当する）は、パーソナルコンピュータ２のキーボード２６を介して、ユーザからの操作入力を受け付け、第２所定時間Ｔ２を設定するものである。第２時間設定部２３４によって設定された第２所定時間Ｔ２は、メモリ２４等に格納され、電源遮断部２３６によって読み出される。
【００８１】
第２判定部２３５（第２判定手段に相当する）は、予め設定された所定周期（以下では「確認周期」という：例えば、１０秒周期）で、ディスプレイ２１の電源が遮断されているか否かを、表示コントローラ２１１に対する制御信号を監視することで判定するものである。具体的には、第２判定部２３５は、例えば、パーソナルコンピュータ２のＣＰＵ２３から表示コントローラ２１１に与えられる制御信号のうち、ディスプレイ２１の電源を遮断する旨の信号及び電源を投入する旨の信号を監視することで、ディスプレイ２１の電源が遮断されているか否かを判定するものである。
【００８２】
電源遮断部２３６（電源遮断手段に相当する）は、第２判定部２３５によってディスプレイ２１の電源が遮断されていると判定された場合に、第２判定部２３５によってディスプレイ２１の電源が遮断されていると判定された時点から、予め設定された第２所定時間Ｔ２（例えば、１０秒）経過後に、デジタル放送受信機１への電源の供給を遮断するものである。
【００８３】
また、電源遮断部２３６は、第２判定部２３５によってディスプレイ２１の電源が遮断されていないと判定された場合にデジタル放送受信機１への電源を投入するものである。
【００８４】
図３は、デジタル放送受信システム（主にＣＰＵ２３）の動作の一例を示すフローチャートである。ここでは、便宜上、第１時間設定部２３１によって予め第１所定時間Ｔ１が設定され、第２時間設定部２３４によって予め第２所定時間Ｔ２が設定されている場合について説明する。また、受信部１１は、１セグ放送、及び、１２セグメント放送である高品位画質の放送（＝ＨＤ放送）の一方を選択して受信する場合について説明する。まず、第１判定部２３２によって、確認周期であるか否か（＝スクリーンセーバが起動されているか否かを判定するタイミングであるか否か）の判定が行われる（Ｓ１０１）。
【００８５】
確認周期ではないと判定された場合（Ｓ１０１でＮＯ）は、処理が待機状態とされる。確認周期であると判定された場合（Ｓ１０１でＹＥＳ）は、第１判定部２３２によって、スクリーンセーバが起動されているか否かの判定が行われる（Ｓ１０３）。スクリーンセーバが起動されていないと判定された場合（Ｓ１０３でＮＯ）には、処理がステップＳ１１１に進められる。スクリーンセーバが起動されていると判定された場合（Ｓ１０３でＹＥＳ）には、受信形態変更部２３３によって、第１所定時間Ｔ１が経過したか否かの判定が行われる（Ｓ１０５）。第１所定時間Ｔ１が経過していないと判定された場合（Ｓ１０５でＮＯ）には、処理がステップＳ１１１に進められる。
【００８６】
第１所定時間Ｔ１が経過したと判定された場合（Ｓ１０５でＹＥＳ）には、受信形態変更部２３３によって、受信部１１がＨＤ放送を受信中であるか否かの判定が行われる（Ｓ１０７）。ＨＤ放送を受信中ではないと判定された場合（Ｓ１０７でＮＯ）には、処理がステップＳ１１５に進められる。ＨＤ放送を受信中であると判定された場合（Ｓ１０７でＹＥＳ）には、受信形態変更部２３３によって、受信部１１を介して１セグ放送が受信される（Ｓ１０９）。
【００８７】
ステップＳ１０３でＮＯの場合、又は、ステップＳ１０５でＮＯの場合には、受信形態変更部２３３によって、受信部１１が１セグ放送を受信中であるか否かの判定が行われる（Ｓ１１１）。１セグ放送を受信中ではないと判定された場合（Ｓ１１１でＮＯ）には、処理がステップＳ１１５に進められる。１セグ放送を受信中であると判定された場合（Ｓ１１１でＹＥＳ）には、受信形態変更部２３３によって、受信部１１を介してＨＤ放送が受信される（Ｓ１１３）。
【００８８】
ステップＳ１０７でＮＯの場合、ステップＳ１０９の処理が終了した場合、ステップＳ１１１でＮＯの場合、または、ステップＳ１１３の処理が終了した場合、第２判定部２３５によって、ディスプレイ２１の電源が遮断されているか否かの判定が行われる（Ｓ１１５）。ディスプレイ２１の電源が遮断されていないと判定された場合（Ｓ１１５でＮＯ）には、処理がステップＳ１２３に進められる。ディスプレイ２１の電源が遮断されていると判定された場合（Ｓ１１５でＹＥＳ）には、電源遮断部２３６によって、第２所定時間Ｔ２が経過したか否かの判定が行われる（Ｓ１１７）。第２所定時間Ｔ２が経過していないと判定された場合（Ｓ１１７でＮＯ）には、処理がステップＳ１２３に進められる。
【００８９】
第２所定時間Ｔ２が経過したと判定された場合（Ｓ１１７でＹＥＳ）には、電源遮断部２３６によって、デジタル放送受信機１への電源が供給されているか否かの判定が行われる（Ｓ１１９）。ここで、デジタル放送受信機１への電源が供給されていないと判定された場合（Ｓ１１９でＮＯ）は、処理がステップＳ１０１に戻され、ステップＳ１０１以降の処理が繰り返し実行される。デジタル放送受信機１への電源が供給されていると判定された場合（Ｓ１１９でＹＥＳ）には、電源遮断部２３６によって、デジタル放送受信機１への電源が遮断され（Ｓ１２１）、処理がステップＳ１０１に戻され、ステップＳ１０１以降の処理が繰り返し実行される。
【００９０】
ステップＳ１１５でＮＯの場合、又は、ステップＳ１１７でＮＯの場合には、デジタル放送受信機１への電源が遮断されているか否かの判定が行われる（Ｓ１２３）。デジタル放送受信機１への電源が遮断されていないと判定された場合（Ｓ１２３でＮＯ）には、処理がステップＳ１０１に戻され、ステップＳ１０１以降の処理が繰り返し実行される。デジタル放送受信機１への電源が遮断されていると判定された場合（Ｓ１２３でＹＥＳ）には、電源遮断部２３６によってデジタル放送受信機１への電源が投入され（Ｓ１２５）、処理がステップＳ１０１に戻され、ステップＳ１０１以降の処理が繰り返し実行される。
【００９１】
このようにして、受信部１１によって、１セグ放送及び複数セグメント放送（ＳＤ放送又はＨＤ放送）の一方が選択して受信され、ディスプレイ２１のスクリーンセーバが起動されているか否かが判定され、スクリーンセーバが起動されていると判定された場合に、受信部１１を介して１セグ放送が受信されるため、利便性良好に消費電力を削減することができる。
【００９２】
すなわち、ディスプレイ２１のスクリーンセーバが起動されていると判定された場合には、受信部１１を介して１セグ放送が受信されるため、ディスプレイ２１のスクリーンセーバが起動されている場合には、ユーザがテレビジョン放送を視聴していないので、利便性良好に消費電力を削減することができるのである。
【００９３】
また、複数セグメント放送は、４セグメント放送である標準画質の放送（＝ＳＤ放送）又は１２セグメント放送である高品位画質の放送（＝ＨＤ放送）であるため、利便性良好に消費電力を削減することができる。
【００９４】
すなわち、ユーザがテレビジョン放送を視聴している際に、標準画質の放送（＝ＳＤ放送）又は高品位画質の放送（＝ＨＤ放送）を視聴している場合には、ディスプレイ２１のスクリーンセーバが起動されていると判定された場合に、受信部１１を介して受信される放送が、標準画質の放送（＝ＳＤ放送）又は高品位画質の放送（＝ＨＤ放送）から１セグ放送に変更されるため、利便性良好に消費電力を削減することができるのである。
【００９５】
更に、スクリーンセーバが起動されていないと判定された場合に、受信部１１を介して複数セグメント放送（＝ＳＤ放送又はＨＤ放送）が受信されるため、更に利便性良好に消費電力を削減することができる。
【００９６】
すなわち、ユーザがテレビジョン放送を視聴する等の目的でスクリーンセーバを停止させた場合に、受信部１１を介して複数セグメント放送（＝ＳＤ放送又はＨＤ放送）が受信されるため、ユーザが受信部１１を介して受信される放送を１セグ放送から複数セグメント放送（＝ＳＤ放送又はＨＤ放送）に切り換える必要がないので、更に利便性良好に消費電力を削減することができるのである。
【００９７】
加えて、スクリーンセーバが起動されていると判定された時点から、予め設定された第１所定時間Ｔ１（例えば、１０秒）経過後に、受信部１１を介して１セグ放送が受信されるため、更に利便性良好に消費電力を削減することができる。
【００９８】
すなわち、スクリーンセーバが起動されていると判定された時点から、予め設定された第１所定時間経過（例えば、１０秒）後に、受信部１１を介して１セグ放送が受信されるため、ユーザがテレビジョン放送を視聴している状態でスクリーンセーバが起動された場合であっても、第１所定時間（ここでは、１０秒）が経過するまでは、受信部１１を介して受信される放送が１セグ放送に切り換えられることがないので、更に利便性良好に消費電力を削減することができるのである。
【００９９】
つまり、パーソナルコンピュータ２側では、予め設定された所定期間（例えば１０分）以上キーボード２６を介してユーザからの操作入力が無い場合には、スクリーンセーバが起動されるが、ユーザがテレビジョン放送を視聴している状態でスクリーンセーバが起動された場合であっても、第１所定時間（ここでは、１０秒）が経過するまでは、受信部１１を介して受信される放送が１セグ放送に切り換えられることがないため、第１所定時間（ここでは、１０秒）が経過するまでにスクリーンセーバを停止させることによって、受信部１１を介して受信される放送を切り換えることなくテレビジョン放送の視聴を継続することができるので、更に利便性良好に消費電力を削減することができるのである。
【０１００】
また、パーソナルコンピュータ２のキーボード２６を介してユーザからの操作入力が受け付けられて第１所定時間Ｔ１が設定されるため、第１所定時間Ｔ１をユーザが所望する時間に設定することができるので、更に利便性良好に消費電力を削減することができる。
【０１０１】
更に、ディスプレイ２１の電源が遮断されているか否かが判定され、ディスプレイ２１の電源が遮断されていると判定された場合に、デジタル放送受信機１への電源の供給が遮断されるため、利便性良好に消費電力を更に削減することができる。
【０１０２】
すなわち、パーソナルコンピュータ２側では、予め設定された所定期間（例えば、３０分）以上外部からの操作入力が無い場合には、ディスプレイ２１の電源が遮断されるが、ディスプレイ２１の電源が遮断される状態では、ユーザがテレビジョン放送を視聴していないので、利便性良好に消費電力を更に削減することができるのである。
【０１０３】
加えて、ディスプレイ２１の電源が遮断されていないと判定された場合に、デジタル放送受信機１への電源が投入されるため、更に利便性良好に消費電力を削減することができる。
【０１０４】
すなわち、ユーザがテレビジョン放送を視聴する等の目的でディスプレイ２１の電源を投入した場合に、デジタル放送受信機１への電源が投入されるため、ユーザがデジタル放送受信機１の電源を投入する必要がないので、更に利便性良好に消費電力を削減することができるのである。
【０１０５】
また、ディスプレイ２１の電源が遮断されていると判定された時点から、予め設定された第２所定時間Ｔ２（例えば、１０秒）経過後に、デジタル放送受信機１への電源の供給が遮断されるため、更に利便性良好に消費電力を削減することができる。
【０１０６】
すなわち、ディスプレイ２１の電源が遮断されていると判定された時点から、予め設定された第２所定時間経過（ここでは、１０秒）後に、デジタル放送受信機１への電源の供給が遮断されるため、ユーザがテレビジョン放送を視聴している状態でディスプレイ２１の電源が遮断された場合であっても、第２所定時間（ここでは、１０秒）が経過するまでは、デジタル放送受信機１への電源の供給が遮断されることがないので、更に利便性良好に消費電力を削減することができるのである。
【０１０７】
つまり、パーソナルコンピュータ２側では、予め設定された所定期間（例えば３０分）以上キーボード２６を介してユーザからの操作入力が無い場合には、ディスプレイ２１の電源が遮断されるが、ユーザがテレビジョン放送を視聴している状態でディスプレイ２１の電源が遮断された場合であっても、第２所定時間（ここでは、１０秒）が経過するまでの間は、デジタル放送受信機１への電源の供給が遮断されることがないため、第２所定時間（ここでは、１０秒）が経過するまでにディスプレイ２１の電源を投入することによって、デジタル放送受信機１の電源を投入することなく、テレビジョン放送の視聴を継続することができるので、更に利便性良好に消費電力を削減することができるのである。
【０１０８】
更に、パーソナルコンピュータ２のキーボード２６を介してユーザからの操作入力が受け付けられて第２所定時間Ｔ２が設定されるため、第２所定時間Ｔ２をユーザが所望する時間に設定することができるので、更に利便性良好に消費電力を削減することができる。
【０１０９】
なお、スクリーンセーバ時における受信形態の自動切換処理、ないし、電源の自動遮断処理については、図３に示したフローチャートのほか、図４に示すフローチャートに従うものとしてもよい。
【０１１０】
図４は、デジタル放送受信システム（主にＣＰＵ２３）の動作の別の一例を示すフローチャートである。
【０１１１】
図４に示すように、ユーザによってデジタル放送の視聴が開始されると、ステップＳ２０１では、スクリーンセーバの起動を定期的に監視するため、所定の確認周期であるか否かの判断が行われる。ここで、所定の確認周期であると判断された場合には、フローがステップＳ２０２に進められる。一方、所定の確認周期でないと判断された場合には、フローがステップＳ２０１に戻される。
【０１１２】
ステップＳ２０１にて、所定の確認周期であると判断された場合、ステップＳ２０２では、スクリーンセーバが動作中であるか否かの判断が行われる。ここで、スクリーンセーバが動作中でないと判断された場合は、フローがステップＳ２０３に進められる。一方、スクリーンセーバが動作中であると判断された場合には、フローがステップＳ２０４に進められる。
【０１１３】
ステップＳ２０２にて、スクリーンセーバが動作中でないと判断された場合、ステップＳ２０３では、現在の放送受信モードが１セグモード（１セグ放送を受信するモード）から複数セグメントモード（複数セグメント放送を受信するモード）に自動的に切り換えられた後、フローがステップＳ２０１に戻される。これにより、表示映像の視認性を高めることが可能となる。なお、現在の放送受信モードが既に複数セグメントモードとされていた場合、ステップＳ２０３では、何ら処理は行われない。
【０１１４】
一方、ステップ２０２にて、スクリーンセーバが動作中であると判断された場合、ステップＳ２０４では、スクリーンセーバが起動されてから（本フローに即してより正確に述べれば、ステップＳ２０２でスクリーンセーバが動作中であることが確認されてから）、第１所定時間ｔ１が経過しているか否かの判断が行われる。ここで、第１所定時間ｔ１が経過していると判断された場合には、フローがステップＳ２０５に進められる。一方、第１所定時間ｔ１が経過していないと判断された場合には、フローがステップＳ２０３に進められ、放送受信モードが先述の複数セグメントモードに設定される。
【０１１５】
ステップＳ２０４にて、スクリーンセーバが起動されてから第１所定時間ｔ１が経過していると判断された場合、ステップＳ２０５では、スクリーンセーバが起動されてから第２所定時間ｔ２（ただしｔ２＞ｔ１）が経過しているか否かの判断が行われる。ここで、第２所定時間ｔ２が経過していないと判断された場合には、フローがステップＳ２０６に進められる。一方、第２所定時間ｔ２が経過していると判断された場合には、フローがステップＳ２０７に進められる。
【０１１６】
ステップＳ２０５にて、スクリーンセーバが起動されてから第１所定時間ｔ１は経過しているものの、第２所定時間ｔ２は経過していないと判断された場合、ステップＳ２０６では、現在の放送受信モードが複数セグメントモードから１セグモードに自動的に切り換えられた後、フローがステップＳ２０１に戻される。このような処理により、スクリーンセーバ動作中（すなわちデジタル放送が視聴されていない状態）には、無駄な負荷や電力消費を抑えることが可能となる。なお、現在の放送受信モードが既に１セグモードとされていた場合、ステップＳ２０６では、何ら処理は行われない。
【０１１７】
一方、ステップＳ２０５で、スクリーンセーバが起動されてから第２所定時間ｔ２が経過していると判断された場合、ステップＳ２０７では、デジタル放送受信機１に対する電源供給、及び、パーソナルコンピュータ２のディスプレイ２１に対する電源供給がいずれも自動的に遮断される。これにより、スクリーンセーバ動作中（すなわちデジタル放送が視聴されていない状態）には、さらに無駄な負荷や電力消費を抑えることが可能となる。
【０１１８】
なお、１セグ放送と複数セグメント放送を同時に受信できるハードウェアの場合は、あまり問題とならないが、複数セグメント放送から１セグ放送への切り換えは、通常、数秒から１０秒程度の時間を要する。このため、スクリーンセーバを解除したときに、ユーザが見たい場面を視聴できないことを回避するため、スクリーンセーバが起動してから１セグモードに切り換えるまでの猶予期間（すなわち、上記の第１所定時間ｔ１）、ないし、電源遮断を行うまでの猶予期間（すなわち、上記の第２所定時間ｔ２）を可変させる構成にするとよい。
【０１１９】
具体的には、ユーザの入力操作が途絶えてからスクリーンセーバが起動するまでの設定時間ｔ０に比例する形で、上記した第１、第２所定時間ｔ１、ｔ２（受信形態の自動切換処理、及び、電源の自動遮断処理が発動するまでの猶予期間）を設定するとよい。なぜなら、スクリーンセーバが起動するまでの設定時間ｔ０が短いユーザは、スクリーンセーバが起動したときに長時間席を外していることが予想されるため、より早く１セグモードに切り換えを行い、さらには、電源供給の自動遮断を行ったとしても、特段支障は生じないと考えられるからである。
【０１２０】
また、本発明は、以下の形態（Ａ）〜（Ｇ）にも適用可能である。
【０１２１】
（Ａ）上記の実施形態では、放送受信装置が、デジタル方式のテレビジョン放送のみを受信するデジタル放送受信機１である場合について説明したが、放送受信装置が、デジタル方式のテレビジョン放送及びアナログ方式のテレビジョン放送を両方とも受信する放送受信機である形態でもよい。
【０１２２】
（Ｂ）上記の実施形態では、デジタル放送受信機１がパーソナルコンピュータ２と別の筐体である場合について説明したが、デジタル放送受信機１がパーソナルコンピュータ２と一体として構成されている形態でもよい。この場合には、デジタル放送受信機１とパーソナルコンピュータ２との間の通信が不要となるため、処理が簡略化される。
【０１２３】
図５は、デジタル放送受信機がパーソナルコンピュータと一体として構成された場合の構成の一例を示す構成図である。図５に示す構成のうち、図１に示す構成と同一のものについては、同一の参照符号を付すことで、その説明を省略する。図５に示すように、本形態（Ｂ）の場合には、図１に示すバス１５と、バス２９と、が接続されて一体としてバス２９Ａとして構成されている。また、ＣＰＵ１２及びＣＰＵ２３の機能は全て、ＣＰＵ２３Ａにより一元的に実現されている。すなわち、ＣＰＵ２３の第１時間設定部２３１、第１判定部２３２、受信形態変更部２３３、第２時間設定部２３４、第２判定部２３５、電源遮断部２３６等の機能部は、ＣＰＵ２３Ａによって実現されている。
【０１２４】
（Ｃ）上記の実施形態においては、ＣＰＵ２３が、第１時間設定部２３１、第１判定部２３２、受信形態変更部２３３、第２時間設定部２３４、第２判定部２３５、電源遮断部２３６等の機能部として機能する場合について説明したが、第１時間設定部２３１、第１判定部２３２、受信形態変更部２３３、第２時間設定部２３４、第２判定部２３５、並びに、電源遮断部２３６のうち、少なくとも一の機能部が、回路等のハードウェアによって構成されている形態でもよい。
【０１２５】
（Ｄ）上記の実施形態では、受信形態変更部２３３が、第１判定部２３２によってスクリーンセーバが起動されていると判定された時点から、第１時間設定部２３１によって設定された第１所定時間Ｔ１（例えば、１０秒）経過後に、受信部１１に対して１セグ放送を受信させる場合について説明したが、受信形態変更部２３３が、第１判定部２３２によってスクリーンセーバが起動されていると判定された時点で、受信部１１に対して１セグ放送を受信させる形態でもよい。この場合には、処理が簡略化される。
【０１２６】
（Ｅ）上記の実施形態では、電源遮断部２３６が、第２判定部２３５によってディスプレイ２１の電源が遮断されていると判定された時点から、予め設定された第２所定時間Ｔ２（例えば、１０秒）経過後に、デジタル放送受信機１への電源の供給を遮断する場合について説明したが、第２判定部２３５によってディスプレイ２１の電源が遮断されていると判定された時点で、デジタル放送受信機１への電源の供給を遮断する形態でもよい。この場合には、処理が簡略化される。
【０１２７】
（Ｆ）上記の実施形態では、デジタル放送受信機１において、１セグ放送と複数セグメント放送のどちらかを選択してデコードし、これをパーソナルコンピュータ２へ転送する構成を例に挙げて説明を行ったが、本発明の構成はこれに限定されるものではなく、ハードウェアの構成を変更することにより、デジタル放送受信機１において、１セグ放送と複数セグメント放送の両方を同時にデコードし、これをパーソナルコンピュータ２へ転送することも可能である。
【０１２８】
（Ｇ）上記の実施形態では、パーソナルコンピュータ２に搭載されるＣＰＵ２３を主体として、スクリーンセーバ起動時における受信形態の自動切換処理、ないし、電源の自動遮断処理を行う構成（言い換えれば、本発明に係る諸機能を実現する手段をパーソナルコンピュータ２側に集約した構成）を例に挙げて詳細な説明を行ったが、本発明の構成はこれに限定されるものではなく、デジタル放送受信機１をパーソナルコンピュータ２に外付けとした上で、デジタル放送受信機１に搭載されるＣＰＵ１２を主体として、上記と同様の処理を行う構成としても構わない。
【０１２９】
当該形態（Ｇ）を採用する場合には、パーソナルコンピュータ２に搭載されるＣＰＵ２３ではなく、デジタル放送受信機１に搭載されるＣＰＵ１２を用いて、図６に示す形で、第１時間設定部１２１、第１判定部１２２、受信形態変更部１２３、第２時間設定部１２４、第２判定部１２５、及び、電源遮断部１２６等の機能部が実現されることになる。
【０１３０】
すなわち、ＣＰＵ１２が、図略のＲＯＭ等に予め格納された制御プログラムを読み出して実行することにより、第１時間設定部１２１、第１判定部１２２、受信形態変更部１２３、第２時間設定部１２４、第２判定部１２５、及び、電源遮断部１２６等の機能部として機能することになる。
【０１３１】
なお、上記の形態（Ｇ）を採用する場合には、スクリーンセーバ起動時における電源の自動遮断処理として、受信部１１への電源供給を遮断するようにすればよい。
【０１３２】
要するに、本発明の実施に際して、スクリーンセーバ起動時における受信形態の自動切換処理、ないし、電源の自動遮断処理を行う主体は、デジタル放送受信機１、及び、パーソナルコンピュータ２のいずれであってもよく、外付けチューナモジュール（放送受信装置）のほか、上記の各処理を実現し得る放送受信方法、放送受信システム、並びに、パーソナルコンピュータ（チューナモジュールを接続するとともに、ＴＶ制御用プログラムがインストールされたもの）のいずれについても、本発明の技術的範囲に属すると言える。
【産業上の利用可能性】
【０１３３】
本発明は、デジタル放送の受信が可能な放送受信方法、放送受信システム、パーソナルコンピュータ、及び、放送受信装置（チューナモジュール）に利用することができる。
【図面の簡単な説明】
【０１３４】
【図１】は、本発明に係るデジタル放送受信機の構成の一例を示す構成図である。
【図２】は、本発明に係るデジタル放送受信システムにおける主要部の機能構成の一例を示すブロック図である。
【図３】は、デジタル放送受信システム（主にＣＰＵ２３）の動作の一例を示すフローチャートである。
【図４】は、デジタル放送受信システム（主にＣＰＵ２３）の動作の別の一例を示すフローチャートである。
【図５】は、デジタル放送受信機がパーソナルコンピュータと一体として構成された場合の構成の一例を示す構成図である。
【図６】は、本発明に係るデジタル放送受信システムにおける主要部の機能構成の別の一例を示すブロック図である。
【符号の説明】
【０１３５】
１    デジタル放送受信機（放送受信装置）
１１    受信部（受信手段）
１１２    チューナ部
１２    ＣＰＵ
２    パーソナルコンピュータ
２１    ディスプレイ（モニタ）
２２    スピーカ
２３    ＣＰＵ
２３１    第１時間設定部（第１時間設定手段の一部）
２３２    第１判定部（第１判定手段）
２３３    受信形態変更部（受信形態変更手段）
２３４    第２時間設定部（第２時間設定手段の一部）
２３５    第２判定部（第２判定手段）
２３６    電源遮断部（電源遮断手段）
２６    キーボード（第１時間設定手段の一部、第２時間設定手段の一部）
【図１】
0004841509.tif 000002
【図２】
0004841509.tif 000003
【図３】
0004841509.tif 000004
【図４】
0004841509.tif 000005
【図５】
0004841509.tif 000006
【図６】
0004841509.tif 000007